(57)【特許請求の範囲】
【請求項１】
長尺薄板状の帯状体と、
該帯状体の一端に固定された長さ調整具と、
前記帯状体に着脱自在に取り付けられる１または複数の刃と
を有するしのび返しであって、
前記長さ調整具が、
前記帯状体の一端を支持する基部と、
該基部に一体または別体に取り付けられるウォームガイド部と、
該ウォームガイド部に回転可能にガイドされたウォームと、
前記帯状体の他端を前記基部と前記ウォームの下端との間に挿入するための帯状体挿入用の開口部とを有し、
前記帯状体が、該帯状体の長さ方向にわたって、前記ウォームと噛み合う複数の噛合部と、前記１または複数の刃が係合される１または複数の係合部とを備え、
前記１または複数の刃に、前記係合部と係合する係合フックが設けられてなることを特徴とする長さ調整可能なしのび返し。
【請求項２】
前記噛合部が、前記帯状体の自由端側が低くなるようにテーパ状に形成されてなることを特徴とする請求項１記載のしのび返し。
【請求項３】
前記噛合部が、前記帯状体に噛合孔を穿設することにより形成されてなることを特徴とする請求項１または２記載のしのび返し。
【請求項４】
請求項１〜３のいずれかに記載のしのび返しが複数連結されてなるしのび返し連結体。
【発明の詳細な説明】
【技術分野】
【０００１】
本発明は、しのび返しおよびしのび返し連結体に関する。
【背景技術】
【０００２】
従来より、防犯対策として、住宅やマンションなどの雨水の竪樋などに、泥棒などが竪樋を登ることを防止するための鋭利な先端を有する刃が設けられたしのび返しが用いられている。
【０００３】
たとえば、特許文献１には、円筒状のパイプの形状に合った略円筒状の基部から、当該円筒状の基部の周方向に沿って、複数の刃が、上方向、下方向に先端部分を突出させるように設けられ、ボルト、ナット等の固着手段によって樋に固定することによって、容易に取り付けが可能で、かつ低コストなしのび返しが開示されている。
【先行技術文献】
【特許文献】
【０００４】
【特許文献１】実用新案登録第３１１２８３４号公報
【発明の概要】
【発明が解決しようとする課題】
【０００５】
しかしながら、上記従来のしのび返しでは、取付が容易で、低コストなしのび返しは提供できるものの、取り付けたい竪樋等の径が変わると、同じしのび返しでは取り付けることができない。すなわち、住宅用の竪樋は、様々な断面形状を有し、断面角形や、断面円形のもの等、建築業者によりまちまちであり、マンション用の竪樋は、住宅用の竪樋と比較して径が大きかったりし、一つの樋に対応するしのび返しでは、他の径や、他の断面形状を有する竪樋には適用することができないという問題がある。さらには、竪樋に限らず、防犯のために、電柱や電灯等、柱状体にしのび返しを取り付けたいというニーズもあるが、全ての径や形状の柱状体に対応することができず、それぞれの柱状体の大きさに合わせてしのび返しを製造しなければならないという問題があった。
【０００６】
さらに、しのび返しの特性上、鋭利な先端を有する刃が複数設けられているため、しのび返しを柱状体に取り付ける場合に非常に危険であり、取り付ける際に安全なしのび返しが求められている。
【０００７】
そこで、本発明は、かかる問題点に鑑みて、多様な径、形状の竪樋、電柱、電灯、ポール等の柱状体に対応することが可能であり、かつ取り付けが安全であり、取り付けられた後は、従来のしのび返しと同様に鋭利な刃により、泥棒等の侵入を防止することができる長さ調整可能なしのび返しの提供を目的とする。
【課題を解決するための手段】
【０００８】
本発明の長さ調整可能なしのび返しは、長尺薄板状の帯状体と、該帯状体の一端に固定された長さ調整具と、前記帯状体に着脱自在に取り付けられる１または複数の刃とを有するしのび返しであって、前記長さ調整具が、前記帯状体の一端を支持する基部と、該基部に一体または別体に取り付けられるウォームガイド部と、該ウォームガイド部に回転可能にガイドされたウォームと、前記帯状体の他端を前記基部と前記ウォームの下端との間に挿入するための帯状体挿入用の開口部とを有し、前記帯状体が、該帯状体の長さ方向にわたって、前記ウォームと噛み合う複数の噛合部と、前記１または複数の刃が係合される１または複数の係合部とを備え、前記１または複数の刃に、前記係合部と係合する係合フックが設けられてなることを特徴とする。
【０００９】
また、前記噛合部が、前記帯状体の自由端側が低くなるようにテーパ状に形成されてなることが好ましい。
【００１０】
また、前記噛合部が、前記帯状体に噛合孔を穿設することにより形成されてなることが好ましい。
【００１１】
また、本発明のしのび返し連結体は、前記しのび返しが複数連結されてなることを特徴とする。
【発明の効果】
【００１２】
本発明によれば、多様な径、形状を有する竪樋、電柱、電灯、ポール等の柱状体において、いずれの径、形状に対しても対応することが可能であり、径や形状によって、長さを調整することができるので、一つのしのび返しで複数の径や形状の柱状体に対応することができる。また、刃が最初から帯状体に取り付けられていないため、しのび返しの取付時に、作業者を傷付ける危険性が低くなる。また、刃が着脱可能であるため、刃の取付位置によって、刃の長さや形状を変更することが可能であり、たとえば、壁際側に設けられる刃を短くすることもできる。さらに、長さ調整具により帯状体を柱状体に締め付けることにより、帯状体と刃を堅固に固定することができ、泥棒などの侵入者に刃だけを取り外されるおそれがない。
【図面の簡単な説明】
【００１３】
【図１】本発明のしのび返しを示す斜視図である。
【図２】本発明のしのび返しに用いられる帯状体および長さ調整具の概略図である。
【図３】本発明のしのび返しに用いられる長さ調整具を説明するための図である。
【図４】本発明のしのび返しに用いられる帯状体の噛合部の概念図である。
【図５】本発明のしのび返しに用いられる刃の一例を示す斜視図である。
【図６】本発明のしのび返しに用いられる刃の一例を示す図である。
【図７】本発明のしのび返しに用いられる刃と帯状体との取付を説明するための図である。
【図８】本発明のしのび返しの刃の取付の一例を示す図である。
【図９】本発明のしのび返しの柱状体への取付を説明するための図である。
【図１０】本発明のしのび返しの連結を説明するための図である。
【図１１】本発明のしのび返し連結体を説明するための図である。
【図１２】本発明のしのび返しの他の態様を示す図である。
【発明を実施するための形態】
【００１４】
以下、添付図面を参照し、本発明のしのび返しを詳細に説明する。
【００１５】
図１に示されるように、本発明の長さ調整可能なしのび返し（以下、単にしのび返しという）１は、竪樋などの柱状体Ｃに取り付けられるものであり、取付時に柱状体Ｃに締め付けられて固定され、柱状体Ｃの周方向に沿って、帯状体１１から鋭利な先端を有する複数の刃１２が突出するようになっており、柱状体Ｃを登って、屋内に侵入することを防止するものである。本明細書において、「柱状体」Ｃとは、竪樋などの配管、電柱、電灯、ポール状の構造物等をいい、内部が空洞であるか否かを問わず、柱状の構造物をいい、円柱状であっても、角柱状であってもよく、その形状は特に限定されるものではない。
【００１６】
図２は、しのび返し１の構成要素である帯状体１１および帯状体１１の一端に固定された長さ調整具１３の概略図を示すものである。図２に示されるように、帯状体１１は、長尺で薄板状のプレートであり、柱状体Ｃに巻き付けることができるように、塑性変形または弾性変形が可能な材質により構成される。帯状体１１の材質としては、ステンレス鋼やアルミニウム、アルミニウム合金等が好適に採用されるが、人的な力により変形が可能であり、柱状体Ｃに巻き付けた際に、破断等しない材質であればよく、ゴム等であってもよい。
【００１７】
図２に示すように、帯状体１１の一端には、長さ調整具１３が固定されている。長さ調整具１３は、帯状体１１の一端が固定され、支持される基部２と、基部２に一体または別体に取り付けられるウォームガイド部３と、ウォームガイド部３に回転可能にガイドされたウォーム４とを備え、図３に示されるように、帯状体１１の自由端である他端を基部２とウォーム４の下端部との間に挿入するための帯状体挿入用の開口部Ｈを有している。
【００１８】
ウォーム４は、その軸心が帯状体１１の長手方向と同方向に沿うように、ウォーム４の両端が、ウォームガイド部３に対して上下動（基部２から離れる方向および近付く方向に移動）可能にガイドされている。ウォーム４の一端または両端には、ウォーム４を回転させるための溝４１が形成され、ウォーム４を時計方向、反時計方向に回転させることができ、後述する帯状体１１の噛合部５と噛合い、帯状体１１を締め付ける方向、および緩める方向に移動させることができる。
【００１９】
ウォーム４に形成される溝４１は、マイナスドライバにより操作される、一文字状の溝である、すりわりであってもよいし、プラスドライバにより操作される十字穴や、プラスマイナス両方のドライバで操作できるプラスマイナス穴であってもよい。また、侵入者が容易にしのび返しを操作できないようにするために、六角穴、四角穴等特殊な形状の溝４１にしてもよく、特に溝４１の形状は限定されるものではない。
【００２０】
長さ調整具１３の基部２と帯状体１１の固定方法は、特に限定されるものではなく、帯状体１１と長さ調整具１３とを係止させることにより固定したり、溶接、接着剤、ビスなどの公知の固着手段により固定することができる。
【００２１】
帯状体挿入用の開口部Ｈは、少なくとも帯状体１１の厚さ分の開口高さを有していればよいが、帯状体１１から突出部分がある場合は、その突出部分の高さ分さらに開口高さを設ければよい。図３に示されるように、ウォームガイド部３にガイドされるウォーム４は、ウォームガイド部３に沿って上下動可能に設けられており、開口部Ｈから帯状体１１の自由端が挿入されると、ウォーム４を押し上げて帯状体１１が締め付けられる。なお、ウォーム４は、手動で上方に移動させ、その後帯状体１１を開口部Ｈから挿入することもできる。
【００２２】
帯状体１１は、図２に示されるように、帯状体１１の長手方向に沿って噛合部５が形成されている。図２および図４においては、噛合部５は、帯状体１１を打抜加工により孔が穿設され、当該打ち抜かれた孔に、ウォーム４が噛合う構成となっているが、帯状体１１の表面から突出する突部を設け、当該突部の間の空間に、ウォーム４が噛合う構成としてもよい。
【００２３】
帯状体１１の噛合部５は、帯状体１１の自由端側から、長さ調整具１３と固定される側の端部にわたって、連続して形成することにより、帯状体１１の長さ調整を自由に行うことができる。
【００２４】
また、図４に示すように、噛合部５を、帯状体１１の自由端側（図２および図４における図中右側）が低くなるようにテーパ状に形成することにより、帯状体１１を開口部Ｈから挿入して、帯状体１１を締め付ける方向にスライドさせるときには、ウォーム４の下端が、噛合部５のテーパ部分５１に乗り上げることにより、帯状体１１を引張るだけで締め付けることができ、帯状体１１を締め付ける方向にスライドさせるために、ウォーム４の溝４１を介してウォーム４を回転させなくてもよい。また、図４における噛合部５と噛合部５の間の溝部５２にウォーム４が嵌まり込むので、帯状体１１を緩める方向に帯状体１１が戻ることが防止されるので、取り付けが容易になる。
【００２５】
また、図２に示されるように、帯状体１１には、帯状体１１に刃１２を取り付けるための係合部６が設けられている。図２においては、噛合部５を挟みこむように、帯状体１１の幅方向の両側（図２における紙面上下方向）に係合部６が設けられているが、噛合部５の上側または下側の一方側だけに係合部６を設けるものであってもよい。
【００２６】
係合部６は、帯状体１１に一体として設けることもできるし、別体として設けてもよい。係合部６は、刃１２が取り付けられるものであれば特に形状は限定されるものではないが、図２および図７に一例として示すように、帯状体１１の長手方向に沿って所定の間隔で一対の切込を入れ、切込が入れられた部分を帯状体１１の表面から突出させることにより係合部６を形成している。この場合、係合部６の帯状体１１の表面からの突出量は、係合部６に係合される刃１２の係合フック７（図６参照）の厚さに応じて適宜変更することが可能である。
【００２７】
つぎに、係合部６に係合される刃１２について、図５〜７を用いて説明する。図５に示されるように、刃１２は、複数の鋭利な先端部を有する。刃１２自体の形状は、特に限定されるものではなく、鋭利な先端部の個数はもちろん、鋭利な先端部の形状についても適宜変更することが可能である。刃１２は、しのび返し１の帯状体１１を柱状体Ｃに巻き付ける際に、危険にならないように取付工程の後半に取り付けることができるように、帯状体１１の係合部６に係合する係合フック７を有する。係合フック７は、図７に示されるように、係合部６の、帯状体１１の表面から突出することによりできた空隙６１に引っ掛けるように取り付けることができ、取り付けが容易である。また、係合フック７は、図６に示されるように返し部７１が形成されているので、取付後に刃１２が帯状体１１から外れることを防止することができる。
【００２８】
このように刃１２を後付けすることができるので、図８に示すように、壁Ｗの壁際などに設置する場合に、壁に近い位置だけ短い刃１２を取り付けたり、異なる種類の刃１２を取り付けることができる。また、刃１２は、後付けすることができるので、帯状体１１の係合部６の数の範囲内で適宜本数を増やしたり減らしたりすることができる。
【００２９】
つぎに、図９を用いて、本発明のしのび返し１の取り付け方法を説明する。
【００３０】
まず、竪樋などの柱状体Ｃの回りに、刃１２の付いていない帯状体１１を巻き付け、帯状体１１の自由端側を、長さ調整具１３の開口部Ｈから挿入する（図９における実線の状態）。このとき、しのび返し１の帯状体１１の外径がある程度の長さになるまでは、帯状体１１の自由端側を引張ることにより締め付けることができる。そして、図９における実線の状態から、締め付ける場合は、ウォーム４の一端側に設けられた溝４１をマイナスドライバなどによりたとえば時計回りに回転させることにより、ウォーム４がその軸回りに回転し、ウォーム４と帯状体１１の噛合部５とが噛合うことにより、帯状体１１を締め付け方向に推進させる（図９における２点鎖線の状態）。このように、一つの長さ調整可能なしのび返し１を用いることにより、簡単な操作により径が異なる複数種類の柱状体Ｃに対応し、取り付けることが可能であり、柱状体Ｃの径に応じて複数種類のしのび返し１を用意する必要がない。
【００３１】
ある程度締め付けた状態で、刃１２を帯状体１１に取り付け、さらに帯状体１１を柱状体Ｃの回りで締め付けると、係合部６に係合された係合フック７は、柱状体Ｃと帯状体１１により圧縮されることにより、強固に刃１２を固定することができる。
【００３２】
さらに、図１０および１１に示されるように、複数のしのび返し１を互いに連結して、さらに大きな径の柱状体Ｃに対応することもできる。すなわち、図１０に示されるように、１つのしのび返し１ａの帯状体１１の自由端を、他のしのび返し１ｂの長さ調整具１３の開口部Ｈに挿入して固定し、図１１に示すような複数のしのび返し１が連結されたしのび返し連結体１０を形成することができる。このように複数のしのび返し１を連結し、しのび返し連結体１０とすることにより、電柱などの径の大きい柱状体に取り付けが可能となるという利点がある。
【００３３】
また、図１２に示されるように、しのび返し１とは別に、他の形状のしのび返し８を併用することもできる。図１２に示されるしのび返し８は、柱状体Ｃの外周に沿った形状を有する板状体に複数の刃８１が設けられたものが、柱状体Ｃの長さ方向に沿って配設されるとともに、図１２における上端部と下端部において、それぞれ柱状体Ｃの長さ方向に離間した一対のしのび返し１の帯状体１１によって締め付けられることにより、柱状体Ｃに固定されている。このようにしのび返し１を、他の形状のしのび返しを柱状体Ｃに締結するために用いることも可能であり、防犯効果および視覚的な威嚇効果を向上させることができる。当然のことながら、更に威嚇効果を強化するうえで、しのび返し８を設置し、かつ、帯状体１１に設けられている係合部６に、刃１２を併行して取り付けることも可能である。なお、しのび返し８は、２つのしのび返し８の帯状体１１により、締め付けることができる形状であればよく、特に限定されるものではない。
【符号の説明】
【００３４】
１、１ａ、１ｂ、８  しのび返し
１０  しのび返し連結体
１１  帯状体
１２、８１  刃
１３  長さ調整具
２  基部
３  ウォームガイド部
４  ウォーム
４１  溝
５  噛合部
５１  テーパ部分
６  係合部
７  係合フック
７１  返し部
Ｃ  柱状体
Ｈ  開口部
Ｗ  壁
【図１】
0005113234.tif 000002
【図２】
0005113234.tif 000003
【図３】
0005113234.tif 000004
【図４】
0005113234.tif 000005
【図５】
0005113234.tif 000006
【図６】
0005113234.tif 000007
【図７】
0005113234.tif 000008
【図８】
0005113234.tif 000009
【図９】
0005113234.tif 000010
【図１０】
0005113234.tif 000011
【図１１】
0005113234.tif 000012
【図１２】
0005113234.tif 000013